(57)【要約】【課題】パイロット信号の特定タイミングが実際のタイミングからずれた場合にも、このずれに応じた推定誤差を低減して周波数オフセット精度を向上する周波数オフセット補正装置を提供すること。【解決手段】ＯＦＤＭ受信装置２００のＡＦＣ部２３０に、検出フレームタイミングを基準として相対的にずらされた乗算タイミングで、受信ＯＦＤＭ信号に含まれるパイロット信号とパイロット信号レプリカとを乗算する乗算処理部２３１と、前記乗算の結果に基づいて周波数オフセット量を算出する周波数オフセット算出処理部２３３と、を設けた。これにより、検出フレームタイミングの検出精度が多少悪くても、この乗算結果には正確なフレームタイミングにおける乗算に基づく要素が含まれることになる。この乗算結果に基づいて周波数オフセットを算出することにより、フレームタイミングの検出誤差に起因する周波数オフセットの推定誤差を低減することができる。【選択図】図３
2008199506.tif 000002
【特許請求の範囲】
【請求項１】
検出フレームタイミングを基準として相対的にずらされた乗算タイミングで、受信ＯＦＤＭ信号に含まれる既知信号と既知信号レプリカ信号とを乗算する乗算処理手段と、
前記乗算の結果に基づいて周波数オフセット量を算出する周波数オフセット算出手段と、
を具備する周波数オフセット補正装置。
【請求項２】
前記乗算処理手段は、
前記既知信号に異なる複数の遅延量を与えることにより、互いにタイミングのずれた複数の既知信号を形成する既知信号形成手段と、
前記複数の既知信号と、前記既知信号レプリカ信号とを乗算する乗算器と、
を具備する請求項１に記載の周波数オフセット補正装置。
【請求項３】
周波数オフセット算出手段は、前記乗算器にて得られる複数の乗算結果から、時間方向合成信号を形成する時間方向合成手段を具備し、前記時間方向合成信号に基づいて周波数オフセット量を算出する請求項１に記載の周波数オフセット補正装置。
【請求項４】
周波数オフセット算出手段は、前記乗算器にて得られる複数の乗算結果のうち最大の乗算結果を検出する最大値検出手段を具備し、検出された最大の乗算結果に基づいて周波数オフセット量を算出する請求項１に記載の周波数オフセット補正装置。
【請求項５】
前記乗算処理手段は、
重畳タイミングを相対的にずらして前記既知信号レプリカ信号を重畳することにより、重畳レプリカ信号を形成する重畳レプリカ信号形成手段と、
前記重畳レプリカ信号と、前記既知信号とを乗算する乗算器と、
を具備する請求項１に記載の周波数オフセット補正装置。
【発明の詳細な説明】
【技術分野】
【０００１】
本発明は、周波数オフセット算出補正に関し、特にレプリカ信号を用いて周波数オフセットを推定する周波数オフセット補正装置に関する。
【背景技術】
【０００２】
現在、通信速度が１００Ｍｂｐｓを越すワイヤレスブロードバンドを実現する次世代移動通信技術として、直交波周波数分割多重方式(ＯＦＤＭ: Orthogonal Frequency Division Multiplexing)の採用が、３ＧＰＰにおいてほぼ合意されている。
【０００３】
ＯＦＤＭは、直交する複数のサブキャリアにより情報信号を並列伝送する方式である。１サブキャリアあたりの帯域が狭帯域であることから、ＯＦＤＭは、マルチパス伝搬路に起因する周波数選択性フェージングの影響を軽減できる高速伝送技術である。
【０００４】
一方で、ＯＦＤＭは、複数の狭帯域信号を送信するため、符号分割多重方式(ＣＤＭＡ: Code Division Multiple Access)のような広帯域信号を伝送する方式に比べ、わずかな周波数オフセットによっても大きな影響を受けるため、基地局と端末間で高い周波数同期精度が求められる。
【０００５】
基地局・端末間での高い周波数同期精度を実現するには、原振に周波数精度の非常に高いルビジウムを使用することで実現できる。しかしながら、ルビジウムは非常に高価であるため、将来の商用機においては水晶等の安価な原振の利用が想定される。そのため、自動周波数制御(ＡＦＣ: Auto Frequency Control）の実装は、将来の商用機においても必須となる。
【０００６】
ＡＦＣ技術の一つにレプリカ信号を用いて周波数オフセットを推定し、この推定量に基づいて周波数補正することにより、雑音に対する耐性が向上する技術が提案されている（例えば、特許文献１）。
【０００７】
次に、従来の一般的なＡＦＣ技術について説明する。無線受信装置では、まず、受信信号から既知信号を抽出する。このとき、ＡＦＣ前段のフレームタイミング検出処理の結果を用いる。受信信号から切り出した既知信号をレプリカ信号と複素乗算する。その後、サンプル平均化処理を行う。サンプル平均化処理では、１シンボル信号を前半/後半で２分割し、半シンボル長で同相加算を行う。周波数オフセットによる位相回転量は、算出されるベクトル間の位相差に等しくなる。
【０００８】
雑音耐性を向上させるため、算出されたベクトル間の位相差に、ブランチ合成、シンボル/フレーム平均化処理を行う。その後、平均化処理を施したベクトルの位相を算出するし、周波数オフセット算出部において周波数ずれが算出される。
【特許文献１】特開２００４−７４３９号公報
【発明の開示】
【発明が解決しようとする課題】
【０００９】
しかしながら、従来のレプリカ相関による周波数オフセット推定では、相関の時間タイミングがずれると大きく特性が劣化する。すなわち、受信信号から既知信号（パイロット信号）を抽出する際、抽出する時間位置の理想位置に対するずれが数サンプル程度でも、周波数オフセットの推定精度が大きく劣化してしまう問題がある。
【００１０】
本発明は、かかる点に鑑みてなされたものであり、パイロット信号の特定タイミングが実際にパイロット信号の配置されているタイミングからずれた場合にも、このずれに応じた推定誤差を低減して周波数オフセット精度を向上する周波数オフセット補正装置を提供することを目的とする。
【課題を解決するための手段】
【００１１】
本発明の周波数オフセット補正装置は、検出フレームタイミングを基準として相対的にずらされた乗算タイミングで、受信ＯＦＤＭ信号に含まれる既知信号と既知信号レプリカ信号とを乗算する乗算処理手段と、前記乗算の結果に基づいて周波数オフセット量を算出する周波数オフセット算出手段と、を具備する構成を採る。
【発明の効果】
【００１２】
本発明によれば、パイロット信号の特定タイミングが実際にパイロット信号の配置されているタイミングからずれた場合にも、このずれに応じた推定誤差を低減して周波数オフセット精度を向上する周波数オフセット算出補正を提供することができる。
【発明を実施するための最良の形態】
【００１３】
以下、本発明の実施の形態について図面を参照して詳細に説明する。なお、実施の形態において、同一の構成要素には同一の符号を付し、その説明は重複するので省略する。
【００１４】
（実施の形態１）
図１に示すように本実施の形態のＯＦＤＭ送信装置１００は、送信データに誤り訂正符号化を施す符号化部１１０と、符号化後の送信信号を変調する変調部１２０と、変調後の信号をスクランブリングするスクランブリング部１３０と、スクランブル後の送信号を高速逆フーリエ変換（ＩＦＦＴ）することによりＯＦＤＭ信号を形成するＩＦＦＴ部１４０と、ＯＦＤＭ信号に所定の無線処理（ガードインターバル挿入、アップコンバートなど）を施す無線送信部１５０とを有する。変調部１２０は、所定のＯＦＤＭシンボルに既知信号（パイロット信号）が配置されるように既知信号をマッピングする。この既知信号は、受信側にて周波数オフセット補正が行われる際に利用される。
【００１５】
図２に示すように本実施の形態のＯＦＤＭ受信装置２００は、受信ＯＦＤＭ信号に所定の無線処理（ダウンコンバート、ガードインターバル除去など）を施す無線受信部２１０と、無線処理後の信号を用いてフレームタイミングを検出するフレーム検出部２２０と、検出フレームタイミングを基準として受信ＯＦＤＭ信号に含まれる既知信号とその既知信号のレプリカ信号との相関結果に基づいて周波数オフセットを算出するＡＦＣ（自動周波数制御）部２３０と、受信ＯＦＤＭ信号に高速フーリエ変換（ＦＦＴ）を施すことにより周波数領域の信号を形成するＦＦＴ部２４０と、セルサーチにより特定されたスクランブリングコードを用いて上記周波数方向の信号をデスクランブリングするデスクランブリング部２５０と、デスクランブル後の信号を並直列変換するＰ／Ｓ変換部２６０と、直列に変換された信号を復調する復調部２７０と、復調後の信号を復号する復号部２８０とを有する。
【００１６】
ＡＦＣ（自動周波数制御）部２３０は、検出フレームタイミングを基準として受信ＯＦＤＭ信号に含まれる既知信号とその既知信号のレプリカ信号との乗算結果に基づいて周波数オフセットを算出し、この周波数オフセットを無線受信部にフィードバックする。
【００１７】
具体的には、図３に示すようにＡＦＣ部２３０は、既知信号とその既知信号のレプリカ信号とを乗算する乗算処理部２３１と、レプリカ信号生成部２３２と、乗算結果に基づいて周波数オフセットを算出する周波数オフセット算出処理部２３３とを有する。この周波数オフセット算出処理部２３３は、位相回転ベクトル算出処理部２３４と、時間方向合成部２３５と、平均化処理部２３６と、オフセット算出実行部２３７とを有する。
【００１８】
乗算処理部２３１は、受信ＯＦＤＭ信号に含まれるパイロット信号と、レプリカ信号生成部２３２にて形成されるパイロット信号レプリカとを乗算する。乗算処理部２３１は、パイロット信号と、パイロット信号レプリカとを、検出フレームタイミングを基準として相対的にずらすことにより、複数の乗算タイミングで乗算する。すなわち、乗算処理部２３１は、検出フレームタイミングを基準として相対的にずらされた乗算タイミングで、受信ＯＦＤＭ信号に含まれる既知信号と既知信号レプリカ信号とを乗算する。
【００１９】
具体的には、乗算処理部２３１は、遅延部２３１１と乗算器２３１２とからなる経路を複数有する。そして、各経路の遅延部２３１１−１〜Ｎには、それぞれ異なる遅延量が設定されている。そのため、各乗算器２３１２−１〜Ｎでは、それぞれ異なる乗算タイミングでパイロット信号とパイロット信号レプリカとが乗算され、乗算タイミングがそれぞれ異なる複数の乗算結果が、位相回転ベクトル算出処理部２３４に出力される。なお、フレームタイミングを基準とする複数の乗算タイミングは、フレームタイミング検出部２２０で算出する遅延プロファイルのパス位置に応じた時間位置に設定することもできる。
【００２０】
位相回転ベクトル算出処理部２３４は、複数の乗算結果のそれぞれに基づいて位相回転ベクトルを算出する。具体的には、位相回転ベクトル算出処理部２３４は、サンプル平均化処理部２３４１と位相回転ベクトル算出部２３４２とからなるＮ個の経路を有する。サンプル平均化処理部２３４１−１〜Ｎは、それぞれ異なる乗算タイミングの乗算結果を入力し、所定期間内に予め決められたタイミングでサンプリングしたサンプルを平均化する。位相回転ベクトル算出部２３４２−１〜Ｎは、それぞれ対応するサンプル平均化処理部２３４１−１〜Ｎにて得られた平均値を入力し、この平均値に基づいて位相回転ベクトルを算出する。
【００２１】
時間方向合成部２３５は、位相回転ベクトル算出処理部２３４にて算出された複数の位相回転ベクトルを時間方向で合成することにより、時間合成位相回転ベクトルを取得する。すなわち、時間方向合成部２３５は、位相回転ベクトル算出処理部２３４にて複数の時間位置で得た位相回転ベクトルを順次保持し、これら複数の位相回転ベクトルを合成処理することにより、時間合成位相回転ベクトルを取得する。
【００２２】
平均化処理部２３６は、時間合成位相回転ベクトルを、複数アンテナで受信する場合にはアンテナ間での合成し、さらにシンボル間隔、フレーム間隔に対して平均化することにより、最終的に求められる周波数オフセットの雑音耐性を向上させる。平均化処理部２３６は、ブランチ合成部２３６１と、シンボル平均化処理部２３６２と、フレーム平均化処理部２３６３とを有する。
【００２３】
オフセット算出実行部２３７は、平均化された後の時間合成位相回転ベクトルに基づいて、周波数オフセットを算出する。具体的には、オフセット算出実行部２３７は、位相回転量算出部２３７１と、周波数オフセット算出部２３７２とを有する。
【００２４】
位相回転量算出部２３７１は、時間合成位相回転ベクトルに基づいて位相回転量を算出する。周波数オフセット算出部２３７２は、算出された位相回転量に基づいて周波数オフセット量を算出する。この周波数オフセット量がフィードバックされることにより、周波数オフセット補正処理が行われる。
【００２５】
次に上記ＡＦＣ部２３０における処理について図４を参照して説明する。
【００２６】
ＡＦＣ部２３０の乗算処理部２３１では、受信ＯＦＤＭ信号に含まれるパイロット信号と、レプリカ信号生成部２３２にて形成されるパイロット信号レプリカとが、検出フレームタイミングを基準として相対的にずらされることにより、複数の乗算タイミングで乗算される。
【００２７】
具体的には、各経路においてパイロット信号に与えられる遅延量の違いにより、複数の異なる乗算タイミングでの乗算処理が行われる。これは、フレーム中の所定位置に配置されているパイロット信号に対して、図４に示すようにフレームタイミングを基準としてそれぞれ時間的にずらした複数のレプリカ信号を乗算することにより、複数の異なる乗算タイミングで乗算処理を行うことと等価である。
【００２８】
このようにパイロット信号とパイロット信号レプリカとを、検出されたフレームタイミングを基準する複数の乗算タイミングで乗算することにより、検出フレームタイミングの検出精度が多少悪くても、その複数の乗算結果の中に正確なフレームタイミングに一致している乗算タイミングで得られたものが含まれることになる。そして、このような乗算結果に基づいて周波数オフセットを算出することにより、フレームタイミングの検出誤差に起因する周波数オフセットの推定誤差を低減することができる。そして、小さな誤差で推定された周波数オフセット量に基づいて周波数補正処理を行うことにより、受信装置における受信特性を向上することができる。
【００２９】
このように本実施の形態によれば、ＯＦＤＭ受信装置２００のＡＦＣ部２３０に、検出フレームタイミングを基準として相対的にずらされた乗算タイミングで、受信ＯＦＤＭ信号に含まれるパイロット信号とパイロット信号レプリカとを乗算する乗算処理部２３１と、前記乗算の結果に基づいて周波数オフセット量を算出する周波数オフセット算出処理部２３３と、を設けた。
【００３０】
こうすることにより、パイロット信号とパイロット信号レプリカとを、検出されたフレームタイミングを基準する複数の乗算タイミングで乗算することができるので、検出フレームタイミングの検出精度が多少悪くても、乗算結果の中に正確なフレームタイミングに一致している乗算タイミングで得られたものが含まれることになる。そして、このような乗算結果に基づいて周波数オフセットを算出することにより、フレームタイミングの検出誤差に起因する周波数オフセットの推定誤差を低減することができる。そして、小さな誤差で推定された周波数オフセット量に基づいて周波数補正処理を行うことにより、受信装置における受信特性を向上することができる。
【００３１】
乗算処理部２３１は、パイロット信号に異なる複数の遅延量を与えることにより、互いにタイミングのずれた複数のパイロット信号を形成する遅延部２３１１−１〜Ｎと、前記複数のパイロット信号と、パイロット信号レプリカとを乗算する乗算器２３１２−１〜Ｎと、を具備する。
【００３２】
周波数オフセット算出処理部２３３は、乗算処理部２３１にて得られる複数の乗算結果から、時間方向合成信号を形成する時間方向合成部２３５を具備し、前記時間方向合成信号に基づいて周波数オフセット量を算出する。
【００３３】
（実施の形態２）
実施の形態１では、乗算タイミングの異なる複数の乗算結果から、時間方向合成信号を形成し、この時間方向合成信号に基づいて周波数オフセット量を算出した。これに対して、実施の形態２では、ＡＦＣ部において、乗算器にて得られる複数の乗算結果のうち最大の乗算結果を検出し、検出された最大の乗算結果に基づいて周波数オフセット量を算出する。
【００３４】
図５に示すように実施の形態２のＯＦＤＭ受信装置におけるＡＦＣ部２３０Ａの周波数オフセット算出処理部２３３Ａは、平均化処理部２３６Ａと、最大値検出部２３８とを有する。
【００３５】
平均化処理部２３６Ａは、位相回転ベクトル算出処理部２３４にて得られた、各乗算タイミングに係る位相回転ベクトルのそれぞれについて、複数アンテナで受信する場合にはアンテナ間での合成し、さらにシンボル間隔、フレーム間隔に関して平均化することにより、最終的に求められる周波数オフセットの雑音耐性を向上させる。平均化処理部２３６Ａは、ブランチ合成部２３６１と、シンボル平均化処理部２３６２と、フレーム平均化処理部２３６３とからなるＮ個の経路を有する。
【００３６】
最大値検出部２３８は、各経路に対応する位相回転ベクトルのうち最大の位相回転ベクトルを検出する。ここで、Ｎ経路中で誤った検出位置、すなわち正確なフレームタイミング以外のタイミングで、パイロット信号レプリカが乗算されることにより得られる位相回転ベクトルは、前段の平均化処理部における処理で同相成分加算とはならないので、ベクトルの大きさが小さくなる。そのため、最大の位相回転ベクトルは、正確なフレームタイミングに対応するものとなっている。
【００３７】
そして、最大値検出部２３８は、検出された最大回転位相ベクトルをオフセット算出実行部２３７に出力する。オフセット算出実行部２３７は、この最大回転位相ベクトルに基づいて周波数オフセットを算出する。
【００３８】
このように本実施の形態においては、ＡＦＣ部の周波数オフセット算出処理部２３３Ａに、乗算処理部２３１にて得られる複数の乗算結果のうち最大の乗算結果を検出する最大値検出部２３８を設け、周波数オフセット算出処理部２３３Ａは、検出された最大の乗算結果に基づいて周波数オフセット量を算出することにより、正確なフレームタイミングに対応する乗算結果から周波数オフセット量を算出することができる。その結果、フレームタイミングの検出誤差に起因する周波数オフセットの推定誤差を低減することができる。そして、小さな誤差で推定された周波数オフセット量に基づいて周波数補正処理を行うことにより、受信装置における受信特性を向上することができる。
【００３９】
（実施の形態３）
実施の形態１および実施の形態２では、受信ＯＦＤＭ信号に含まれるパイロット信号に複数の遅延量を与えることにより得られる、タイミングのずれた複数のパイロット信号のそれぞれに対してパイロット信号レプリカを乗算することにより、乗算タイミングの異なる、パイロット信号とパイロット信号レプリカとの複数の乗算結果を得た。これに対して、実施の形態３では、タイミングのずれた複数のパイロット信号レプリカ（互いに同一のもの）を重畳することにより重畳パイロット信号レプリカを形成し、この重畳パイロット信号レプリカと、受信ＯＦＤＭ信号に含まれるパイロット信号との検出フレームタイミングを基準とする乗算結果に基づいて、周波数オフセットを算出する。
【００４０】
図６に示すように本実施の形態のＯＦＤＭ受信装置３００は、ＡＦＣ部３３０を有する。このＡＦＣ部３３０は、図７に示すようにレプリカ信号生成部３３１と、乗算器３３２と、周波数オフセット算出処理部３３３とを有する。
【００４１】
レプリカ信号生成部３３１は、重畳タイミングを相対的にずらしてパイロット信号レプリカを重畳することにより、重畳レプリカ信号を形成する。具体的には、レプリカ信号生成部３３１は、図８に示すように並列に配設される複数の遅延部３３１１−１〜２ｔと、遅延部３３１１−１〜２ｔの出力を加算する加算器３３１２とを具備する。各遅延部３３１１−１〜２ｔには、それぞれ異なる遅延量が設定されている。そのため、各遅延部３３１１−１〜２ｔの出力を加算することにより、重畳レプリカ信号を形成することができる。
【００４２】
乗算器３３２は、受信ＯＦＤＭ信号に含まれるパイロット信号と、レプリカ信号生成部３３１からの重畳レプリカ信号とを乗算し、乗算結果を周波数オフセット算出処理部３３３に入力する。
【００４３】
周波数オフセット算出処理部３３３は、乗算器３３２からの乗算結果に基づいて周波数オフセットを算出する。
【００４４】
具体的には、図７に示すように周波数オフセット算出処理部３３３は、位相回転ベクトル算出処理部３３４と、平均化処理部３３６と、オフセット算出実行部３３７とを有する。
【００４５】
位相回転ベクトル算出処理部３３４は、入力される乗算結果に基づいて位相回転ベクトルを算出する。具体的には、サンプル平均化処理部２３４１は、所定期間内に予め決められたタイミングで、乗算結果をサンプリングしたサンプルを平均化する。位相回転ベクトル算出部２３４２は、サンプル平均化処理部２３４１で得られた平均値を入力し、この平均値に基づいて位相回転ベクトルを算出する。
【００４６】
平均化処理部３３６は、位相回転ベクトルを、複数アンテナで受信する場合にはアンテナ間での合成し、さらにシンボル間隔、フレーム間隔に対して平均化することにより、最終的に求められる周波数オフセットの雑音耐性を向上させる。平均化処理部３３６は、ブランチ合成部２３６１と、シンボル平均化処理部２３６２と、フレーム平均化処理部２３６３とを有する。
【００４７】
オフセット算出実行部３３７は、平均化された後の位相回転ベクトルに基づいて、周波数オフセットを算出する。具体的には、オフセット算出実行部３３７は、位相回転量算出部２３７１と、周波数オフセット算出部２３７２とを有する。
【００４８】
次に上記ＡＦＣ部３３０における処理について図９を参照して説明する。
【００４９】
ＡＦＣ部３３０のレプリカ信号生成部３３１では、図９に示すように、重畳タイミングを相対的にずらしてパイロット信号レプリカを重畳することにより、重畳レプリカ信号が形成される。
【００５０】
乗算器３３２では、重畳レプリカ信号と、受信パイロット信号とが乗算される。これは、実施の形態１および実施の形態２における、パイロット信号とパイロット信号レプリカとが検出フレームタイミングを基準として相対的にずらされることにより、複数の乗算タイミングで乗算する処理と同等の処理である。
【００５１】
このように重畳タイミングを相対的にずらしてパイロット信号レプリカを重畳することにより得られる重畳レプリカ信号と、検出されたフレームタイミングを基準として受信パイロット信号とを乗算することにより、検出フレームタイミングの検出精度が多少悪くても、この乗算結果には正確なフレームタイミングにおけるパイロット信号レプリカと受信パイロット信号との乗算に基づく要素が含まれることになる。そして、このような乗算結果に基づいて周波数オフセットを算出することにより、フレームタイミングの検出誤差に起因する周波数オフセットの推定誤差を低減することができる。そして、小さな誤差で推定された周波数オフセット量に基づいて周波数補正処理を行うことにより、受信装置における受信特性を向上することができる。
【００５２】
このように本実施の形態によれば、ＯＦＤＭ受信装置３００のＡＦＣ部３３０に、乗算処理手段として、重畳タイミングを相対的にずらしてパイロット信号レプリカを重畳することにより重畳レプリカ信号を形成するレプリカ信号生成部３３１と、前記重畳レプリカ信号と、パイロット信号とを乗算する乗算器３３２と、を設けた。
【００５３】
こうすることにより、重畳タイミングを相対的にずらしてパイロット信号レプリカを重畳することにより得られる重畳レプリカ信号と、検出されたフレームタイミングを基準として受信パイロット信号とを乗算することができるので、検出フレームタイミングの検出精度が多少悪くても、この乗算結果には正確なフレームタイミングにおけるパイロット信号レプリカと受信パイロット信号との乗算に基づく要素が含まれることになる。そして、このような乗算結果に基づいて周波数オフセットを算出することにより、フレームタイミングの検出誤差に起因する周波数オフセットの推定誤差を低減することができる。そして、小さな誤差で推定された周波数オフセット量に基づいて周波数補正処理を行うことにより、受信装置における受信特性を向上することができる。
【産業上の利用可能性】
【００５４】
本発明の周波数オフセット補正装置は、パイロット信号の特定タイミングが実際にパイロット信号の配置されているタイミングからずれた場合にも、このずれに応じた推定誤差を低減して周波数オフセット精度を向上するものとして有用である。
【図面の簡単な説明】
【００５５】
【図１】本発明の実施の形態１に係るＯＦＤＭ送信装置の構成を示すブロック図
【図２】実施の形態１に係るＯＦＤＭ受信装置の構成を示すブロック図
【図３】図２のＡＦＣ部の構成を示すブロック図
【図４】図３のＡＦＣ部の処理の説明に供する図
【図５】実施の形態２に係るＯＦＤＭ受信装置のＡＦＣ部の構成を示すブロック図
【図６】実施の形態２に係るＯＦＤＭ受信装置の構成を示すブロック図
【図７】図６のＡＦＣ部の構成を示すブロック図
【図８】図７のレプリカ信号生成部の構成を示すブロック図
【図９】図７のＡＦＣ部の処理の説明に供する図
【符号の説明】
【００５６】
１００  ＯＦＤＭ送信装置
１１０  符号化部
１２０  変調部
１３０  スクランブリング部
１４０  ＩＦＦＴ部
１５０  無線送信部
２００，３００  ＯＦＤＭ受信装置
２１０  無線受信部
２２０  フレーム検出部
２３０，３３０  ＡＦＣ部
２３１  乗算処理部
２３２  レプリカ信号生成部
２３３，３３３  周波数オフセット算出処理部
２３４，３３４  位相回転ベクトル算出処理部
２３５  時間方向合成部
２３６，３３６  平均化処理部
２３７，３３７  オフセット算出実行部
２３８  最大値検出部
２４０  ＦＦＴ部
２５０  デスクランブリング部
２６０  Ｐ／Ｓ変換部
２７０  復調部
２８０  復号部
３３１  レプリカ信号生成部
３３２，２３１２  乗算器
２３６１  ブランチ合成部
２３１１  遅延部
２３４１  サンプル平均化処理部
２３４２  位相回転ベクトル算出部
２３６２  シンボル平均化処理部
２３６３  フレーム平均化処理部
２３７１  位相回転量算出部
２３７２  周波数オフセット算出部
３３１２  加算器
【図１】
2008199506.tif 000003
【図２】
2008199506.tif 000004
【図３】
2008199506.tif 000005
【図４】
2008199506.tif 000006
【図５】
2008199506.tif 000007
【図６】
2008199506.tif 000008
【図７】
2008199506.tif 000009
【図８】
2008199506.tif 000010
【図９】
2008199506.tif 000011